(57)【要約】      （修正有）【課題】全体重量が軽量であり、標準化及びモジュール化の生産を実現でき、行動が不便である患者を動かす時には非常に小さな力をかければよく、完全に平らに置くことができ、収納するのに便利であり、スペースを節約することができる介護ベッド用昇降装置及び介護ベッドを提供する。【解決手段】介護ベッドは、支持フレーム１を含み、支持フレーム１の対向する両端にそれぞれ昇降装置が取り付けられ、昇降装置は、第１ロッド部２と、第２ロッド部３とを含み、昇降装置は、支持フレーム１が完全に地面上に置かれるように、支持フレーム１の高さを調整可能である。【選択図】図３
0003232917.tif 000002
【実用新案登録請求の範囲】
【請求項１】
介護ベッド用昇降装置であって、
第１ロッド部と、第２ロッド部と、駆動装置とを含み、前記第１ロッド部の第１端及び第２ロッド部の第１端にいずれもコネクタが設置され、前記第２ロッド部の第２端は、第１ロッド部に可動連結され、前記第１ロッド部の第２端に駆動装置が取り付けられることを特徴とする介護ベッド用昇降装置。
【請求項２】
前記第１ロッド部は、Ｕ型構造を呈し、平行に離隔設置された２つの第１サブロッドと、２つの第１サブロッドの底部を連結させる第１横向きロッドとを有し、前記第１横向きロッドは、同時に支持部分を形成可能であり、駆動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、前記第２横向きロッドの両端は、可動に２つの第１サブロッドの間に取り付けられ、駆動装置の駆動端は、可動に第２横向きロッドに連結されることを特徴とする請求項１に記載の介護ベッド用昇降装置。
【請求項３】
前記駆動装置は直線運動装置であり、
前記直線運動装置は、電動プッシュロッド、電動シリンダー、リニアモーターのうちのいずれか一つであることを特徴とする請求項１に記載の介護ベッド用昇降装置。
【請求項４】
支持フレームを含む介護ベッドであって、
前記支持フレームの両端にそれぞれ昇降装置が取り付けられ、
前記昇降装置は、第１ロッド部と、第２ロッド部と、第１直線運動装置とを含み、
前記第１ロッド部の第１端は、第１コネクタを介して可動に支持フレーム上に取り付けられ、第１ロッド部に第１直線運動装置が取り付けられることを特徴とする介護ベッド。
【請求項５】
前記第１ロッド部は、Ｕ型構造を呈し、平行に離隔設置された２つの第１サブロッドと、２つの第１サブロッドの底部を連結させる第１横向きロッドとを有し、前記第１横向きロッドは支持部分を形成し、２つの第１サブロッドの第１端は、それぞれ第１コネクタを介して可動に支持フレームの底部に取り付けられ、前記２つの第１サブロッドは、第１コネクタに沿って回転可能であると同時に、第１直線運動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、２つの第２サブロッドの第１端は、それぞれ第２コネクタを介して可動に支持フレームの底部に取り付けられ、前記２つの第２サブロッドは、第２コネクタに沿って回転可能であり、前記第２横向きロッドの両端は、第３コネクタを介して可動に２つの第１サブロッドの間に取り付けられ、第１直線運動装置の駆動端は、第４コネクタを介して第２横向きロッドに連結されることを特徴とする請求項４に記載の介護ベッド。
【請求項６】
前記第２横向きロッド上にスライドレールが設置されており、前記第１直線運動装置の駆動端は、スライドレール内に収容され、前記スライドレールは、駆動端が往復伸縮するレールを形成することを特徴とする請求項５に記載の介護ベッド。
【請求項７】
前記支持フレーム上にベッドボードが敷設され、前記ベッドボード上に複数の離隔設置された中空孔が設計されることを特徴とする請求項４に記載の介護ベッド。
【請求項８】
前記ベッドボードは少なくとも２つのサブボードを含み、前記サブボードの間にヒンジ又は回転ジョイントが連結されており、前記サブボードは、ヒンジ又は回転ジョイントを介して回動可能であり、
第１サブボードに対応する支持フレームの底部に第２直線運動装置が取り付けられ、前記第２直線運動装置の駆動端は、第１サブボードの底部に連結され、前記第２直線運動装置の駆動端は、第１サブボードと水平面の間に少なくとも０〜９０度の夾角が形成されるように、第１サブボードをヒンジ又は回転ジョイントに沿って回動するように押すことが可能であることを特徴とする請求項７に記載の介護ベッド。
【請求項９】
２つの前記第１サブロッドの間に補強リブが設置され、
前記支持フレームの長さ方向の一端又は両端にベッドヘッドバッフルが設置されており、
及び／又は、
前記支持フレームの幅方向の一端又は両端にベッドサラウンドが設置されていることを特徴とする請求項５に記載の介護ベッド。
【請求項１０】
第１横向きロッド上に第５コネクタが設置されており、第１直線運動装置の底部と第１横向きロッドとは第５コネクタを介して連結され、前記第１直線運動装置の底部は、第１ロッド部に付き従って可動可能であり、
前記第１横向きロッド上に固定板が取り付けられており、前記固定板と第１サブロッドの底部の間に第６コネクタが連結されており、前記第１サブロッドの底部は第６コネクタを介して固定板に可動連結され、及び／又は、
前記第１横向きロッドの底端にローラーが連結されていることを特徴とする請求項５に記載の介護ベッド。
【考案の詳細な説明】
【技術分野】
【０００１】
本考案は、軽量化され、取り外しが便利で、迅速に取り付け可能で、且つ患者を迅速に移動可能な昇降装置及びその昇降装置を利用した新型介護ベッドに関する。
【背景技術】
【０００２】
既存の介護ベッドは、鉄パイプ溶接を適用して製作されるものが多く、生産中、人工的溶接により完成されるものが多いが、このような作業方式では、効力が低下し、適用される材料のほとんどが鉄パイプであるため、従来の介護ベッドの重量は２００ＫＧ以上にも達する。特に、一体化溶接して成型された介護ベッドは、体積が大きいため、移動中に非常に手間がかかり、運送過程での費用が非常に高い。同時に、市販の介護ベッドの高さは最低４５０ｍｍしか下げることができず、体力の弱い医師や看護士は患者を一定の高さの介護ベッドを全く持ち上げることができない。特に移動できない患者の場合、移動中により難しくなる。
【考案の概要】
【０００３】
本考案は、昇降装置を提供する。上記の目的を達成する技術方案は以下の通りである。
【０００４】
介護ベッド用昇降装置であって、第１ロッド部と、第２ロッド部と、駆動装置とを含み、前記第１ロッド部の第１端及び第２ロッド部の第１端にいずれもコネクタが設置され、前記第２ロッド部の第２端は、第１ロッド部に可動連結され、前記第１ロッド部の第２端に駆動装置が取り付けられ、前記駆動装置の一端は、第１ロッド部に連結され、その駆動端は、第２ロッド部に連結されて、第２ロッド部と第１ロッド部とが相対的に運動するように駆動するために用いられる。
【０００５】
任意選択的に、前記第１ロッド部は、Ｕ型構造を呈し、平行に離隔設置された２つの第１サブロッドと、２つの第１サブロッドの底部を連結させる第１横向きロッドとを有し、前記第１横向きロッドは、同時に支持部分を形成可能であり、駆動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、前記第２横向きロッドの両端は、可動に２つの第１サブロッドの間に取り付けられ、駆動装置の駆動端は、可動に第２横向きロッドに連結される。
【０００６】
任意選択的に、前記駆動装置は直線運動装置であり、前記直線運動装置は、電動プッシュロッド、電動シリンダー、リニアモーターのうちのいずれか一つである。
【０００７】
本考案に係る昇降装置は、構造が簡単であり、使用される部品が少ない。
【０００８】
本考案は、また、軽量化され、標準化生産が可能で、且つ迅速に取り付け及び取り外し可能であり、特に患者を便利に移動可能な介護ベッドに関する。上記の目的を達成する技術方案は以下の通りである。
【０００９】
支持フレームを含む介護ベッドであって、前記支持フレームの両端にそれぞれ昇降装置が取り付けられ、前記昇降装置は、第１ロッド部と、第２ロッド部と、第１直線運動装置とを含み、
前記第１ロッド部の第１端は、第１コネクタを介して可動に支持フレーム上に取り付けられ、第１ロッド部に第１直線運動装置が取り付けられ、
前記第２ロッド部の第１端は、第２コネクタを介して可動に支持フレーム上に取り付けられ、第２ロッド部の第２端は、第３コネクタを介して第１ロッド部に可動連結され、第１直線運動装置の駆動端は、第４コネクタを介して第２ロッド部上に取り付けられ、
第１直線運動装置の駆動端は、第２ロッド部を支持フレームに近づけるか又は支持フレームから遠ざけるように押し、前記第２ロッド部は、第１ロッド部を引っ張って同期運動させる。
【００１０】
任意選択的に、前記第１ロッド部は、Ｕ型構造を呈し、平行に離隔設置された２つの第１サブロッドと、２つの第１サブロッドの底部を連結させる第１横向きロッドとを有し、前記第１横向きロッドは支持部分を形成し、２つの第１サブロッドの第１端は、それぞれ第１コネクタを介して可動に支持フレームの底部に取り付けられ、前記２つの第１サブロッドは、第１コネクタに沿って回転可能であると同時に、第１直線運動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、２つの第２サブロッドの第１端は、それぞれ第２コネクタを介して可動に支持フレームの底部に取り付けられ、前記２つの第２サブロッドは、第２コネクタに沿って回転可能であり、前記第２横向きロッドの両端は、第３コネクタを介して可動に２つの第１サブロッドの間に取り付けられ、第１直線運動装置の駆動端は、第４コネクタを介して第２横向きロッドに連結される。
【００１１】
任意選択的に、前記第２横向きロッド上にスライドレールが設置されており、前記第１直線運動装置の駆動端は、スライドレール内に収容され、前記スライドレールは、駆動端が往復伸縮するレールを形成する。
【００１２】
任意選択的に、前記支持フレーム上にベッドボードが敷設され、前記ベッドボード上に複数の離隔設置された中空孔が設計される。
【００１３】
任意選択的に、前記ベッドボードは少なくとも２つのサブボードを含み、前記サブボードの間にヒンジ又は回転ジョイントが連結されており、前記サブボードは、ヒンジ又は回転ジョイントを介して回動可能であり、
第１サブボードに対応する支持フレームの底部に第２直線運動装置が取り付けられ、前記第２直線運動装置の駆動端は、第１サブボードの底部に連結され、前記第２直線運動装置の駆動端は、第１サブボードと水平面の間に少なくとも０〜９０度の夾角が形成されるように、第１サブボードをヒンジ又は回転ジョイントに沿って回動するように押すことが可能である。
【００１４】
任意選択的に、２つの前記第１サブロッドの間に補強リブが設置され、
任意選択的に、前記支持フレームの長さ方向の一端又は両端にベッドヘッドバッフルが設置されており、
任意選択的に、前記支持フレームの幅方向の一端又は両端にベッドサラウンドが設置されている。
【００１５】
任意選択的に、第１横向きロッド上に第５コネクタが設置されており、第１直線運動装置の底部と第１横向きロッドとは第５コネクタを介して連結され、前記第１直線運動装置の底部は、第１ロッド部に付き従って可動可能であり、
任意選択的に、前記第１横向きロッド上に固定板が取り付けられており、前記固定板と第１サブロッドの底部の間に第６コネクタが連結されており、前記第１サブロッドの底部は第６コネクタを介して固定板に可動連結され、
任意選択的に、前記第１横向きロッドの底端にローラーが連結されており、前記ローラーは、折り畳み可能であるか、或いは、停止機能を持つ。
【００１６】
任意選択的に、前記第１コネクタはヒンジピンであり、前記第１ロッド部の第１端の両側にそれぞれヒンジピン孔が設置され、前記支持フレーム上にもヒンジピン孔が設置され、前記ヒンジピンは、第１ロッド部及び支持フレーム上のヒンジピン孔内に挿入され、前記第１ロッド部はヒンジピンを中心に反転する。
【００１７】
本考案は、全体重量が軽量であり、規模化及びモジュール化の生産を実現することができる。特に、本考案は、ユーザの使用の便宜を図り、行動が不便である患者を動かす時には非常に小さな力をかけても良い。また、本装置は、完全に平らに置かれることができ、収納するのに便利であり、スペースを節約する。
【図面の簡単な説明】
【００１８】
本考案の実施例又は先行技術に係る技術方案をより明瞭に説明するために、以下では、実施例又は先行技術の説明に使用されるべき図面を簡単に紹介する。明らかに、以下の記述における図面は単に本考案の一部の実施例であり、当業者にとって、創造的な労働をしないという前提で、これらの図面に基づいて他の図面を更に得ることができる。
【００１９】
【図１】昇降装置の概略図である。
【図２】昇降装置の別の方向の概略図である。
【図３】介護ベッドの立体概略図である。
【図４】図３の局部拡大図である。
【図５】本考案の別の方向の立体概略図である。
【図６】本考案の別の方向の立体概略図である。
【図７】本考案の裏面の立体概略図である。
【図８】図４の局部拡大図である。
【図９】図４の局部拡大図である。
【図１０】本考案の側面図である。
【図１１】ベッドボードがない場合の概略図である。
【図１２】昇降装置の一側が高く、他側が低い場合の概略図である。
【考案を実施するための最良の形態】
【００２０】
以下では、本考案の実施例における図面と併せて、本考案の実施例に係る技術方案を明瞭かつ完全に説明することにする。明らかに、記述される実施例は単に本考案の一部の実施例であり、全部の実施例ではない。本考案の実施例に基づいて、創造的な労働をしないという前提で当業者によって得られる他の実施例は、全て本考案の保護範囲に属する。
【００２１】
本考案の記述において、用語「中心」、「上」、「下」、「前」、「後」、「左」、「右」、「鉛直」、「水平」、「頂」、「底」、「内」、「外」等で示される方位又は位置関係は、図面に示される方位又は位置関係に基づいており、単に本考案の説明及び説明の簡略化を容易にするためのものであり、指されるデバイス又は素子が必ずしも特定の方位を有し、特定の方位で構成及び操作されることを示すか又は暗示するものではないので、本考案に対する制限として理解されるべきではない。
【００２２】
用語「第１」及び「第２」は、説明の目的でのみ使用され、相対的な重要性を示すか又は暗示するか、或いは、指す技術特徴の数を暗黙的に示すものとして理解されるべきではない。従って、「第１」、「第２」で限定される特徴は、１つ以上の該特徴を明示的又は暗黙的に含み得る。本考案の記述において、特に説明しない限り、「複数」は２つ以上を意味する。
【００２３】
本考案の記述において、説明すべきことは、特に明確な規定及び限定がない限り、用語「取り付け」、「互いに連なる」、「連結」は、広い意味で理解されるべきであり、例えば、固定連結であり得、着脱可能な連結又は一体的な連結でもあり得る。直接的に連なるものでもあり得、中間媒体を介して間接的に連なるものでもあり得、２つの素子内部の連通でもあり得る。当業者にとって、具体的状況に応じて本考案における上記の用語の具体的意味を理解できる。本考案の少なくとも一つの実施例は、昇降装置及び昇降装置を利用して形成された介護ベッド構造を提供する。
【００２４】
本考案において、前記介護ベッド用昇降装置は、固定物に固定されて昇降機能を実現し得る。前記固定物は、ベッドの支持フレーム１であり得、ベッドボードでもあり得、ひいては他の昇降される必要のある構造でもあり得る。
【００２５】
介護ベッド用昇降装置は、第１ロッド部２、第２ロッド部３、駆動装置を含み、前記駆動装置は往復直線運動を行う。好ましい方式として、駆動装置は直線運動装置であり、直線運動装置は、プッシュロッドシリンダー、プッシュロッドモータ、電動プッシュロッド又はリニアモーター等の動力部材のうちいずれか一つであり得る。説明の便宜上、昇降装置における直線運動装置は、第１電動プッシュロッド４である。前記第１ロッド部２、第２ロッド部３上にコネクタ又は連結構造が設置されていて、支持フレーム１等の部材との連結を実現する便宜を図る。コネクタ又は連結構造は、具体的に、第１ロッド部２、第２ロッド部３の第１端に設置され得、コネクタ又は連結構造は、第１ロッド部２、第２ロッド部３の上部に設置されても良く、以下の実施例でも同様である。
【００２６】
第２ロッド部３の第２端（第２ロッド部の下部であり得、以下同様）は、第１ロッド部２に可動連結され、第１ロッド部２の第２端に電動プッシュロッドが取り付けられると共に、第１電動プッシュロッド４のプッシュロッド４１（前記プッシュロッド４１は、駆動端である）は、第２ロッド部３の第２端に可動連結され、前記第１電動プッシュロッド４のプッシュロッド４１は、第２ロッド部３を上昇又は下降するように押すことが可能であり、前記第１ロッド部２は、第２ロッド部３に付き従って同期運動し、これにより昇降の目的を達成する。
【００２７】
一つの好ましい方式として、前記第１ロッド部２は、大体Ｕ型構造を呈し、平行に離隔設置された２つの第１サブロッド２１と、２つの第１サブロッドの底部を連結させる第１横向きロッド２２とを有し、前記第１横向きロッド２２は、同時に支持部分を形成し得、第１電動プッシュロッド４は、第１横向きロッド２２の中部位置に取り付けられ得、
第２ロッド部３は、大体Ｕ型構造を呈し、平行に離隔設置された２つの第２サブロッド３１と、２つの第２サブロッド３１の頂部を連結させる第２横向きロッド３２とを有し、前記第２横向きロッド３２の両端は、可動に２つの第１サブロッド２１の間に取り付けられ、第１電動プッシュロッド４のプッシュロッド４１は、可動に第２横向きロッド３２に連結される。
【００２８】
上記の記述は、単に昇降装置の構造を簡単に紹介したものであり、後でさらに介護ベッドの構造と併せて具体的に説明するので、昇降装置の詳細に対する説明はここで展開しないことにする。
【００２９】
以下、昇降装置を利用して作られた介護ベッドの構造を詳細に記述する。
【００３０】
介護ベッドは、サポートフレーム1を含む。サポートフレーム1は、荷重に耐える鍵となる部位であるだけでなく、他の部品を取り付ける支持でもある。前記支持フレーム１は、マグネシウム合金等の材料で製作され得る。マグネシウム合金材料は、重量が軽量で、強度が高く、介護ベッドの耐荷重要求を満たすという前提で、その全体重量も大幅に低下されて、ユーザの使用の便宜を図る。
【００３１】
前記支持フレーム１の両端にそれぞれ昇降装置が取り付けられ、昇降装置は、支持フレーム１の地面からの高さを制御する。昇降装置は、支持フレーム１の長さ方向の両端に対称的に設置され得、幅方向の両端に設置されるものでもあり得る。本考案では、昇降装置が支持フレーム１の長さ方向の両端に対称的に設置される場合を例として構造の説明を行うことにする。
【００３２】
以下、昇降装置の第１実施例を詳細に説明する。
【００３３】
前記昇降装置は、第１ロッド部２と、第２ロッド部３と、直線運動装置とを含む。第１ロッド部２の第１端（第１ロッド部２の上部でもあり得、以下同様）は、第１コネクタ又は第１連結構造を介して可動に支持フレーム１の底部に取り付けられ、第１ロッド部２の第１端は第１コネクタに沿って回転可能であり、第１ロッド部２の第２端（第１ロッド部２の下部でもあり得、以下同様）は、地面に支持されて、支持フレーム１全体を支持する耐荷重部位を形成すると同時に、地面に支持される着力部位でもある。従って、第１ロッド部２は、支持脚として機能すると同時に、昇降装置の部材の一つでもある。このような設置は、部材の使用を減らすだけでなく、その構造が簡素化され、全体的に簡潔で上品である。前記地面は、例えば、救急車、床等の介護ベッドが置かれ得る全ての平面を含む。
【００３４】
第１ロッド部２の第２端に直線運動装置が取り付けられるが、本実施例は、電動プッシュロッドを例として説明し、第１ロッド部２に連結される直線運動装置を第１電動プッシュロッド４として記述する。
【００３５】
プッシュロッドシリンダー、プッシュロッドモータ又は電動プッシュロッドは、伸縮可能なピストンロッド又はプッシュロッド４１を有し、これは昇降を実現する鍵となる部位である。プッシュロッドシリンダー、プッシュロッドモータ又は電動プッシュロッドの体積は、実際の需要に応じて適切な大きさに製作され得、その直線運動の安定性が高い。
【００３６】
前記第２ロッド部３の第１端（第２ロッド部３の上部でもあり得、以下同様）は、第２コネクタを介して可動に支持フレーム１の底部に取り付けられ、第２ロッド部３の第１端は、第２コネクタに沿って回転可能であり、前記第２ロッド部３の第２端（第２ロッド部３的上部でもあり得、以下同様）は、第３コネクタを介して第１ロッド部２に可動連結され、第２ロッド部３の第２端は、第３コネクタに沿って回転可能であり、これにより第１ロッド部２と第２ロッド部３とは交差する構造を形成する。
【００３７】
同時に、第１電動プッシュロッド４のプッシュロッド４１は、第４コネクタを介して第２ロッド部３の第２端に連結され、第１電動プッシュロッド４のプッシュロッド４１は伸縮可能であるため、プッシュロッド４１は、第２ロッド部３が支持フレーム１から遠ざかるか又は支持フレーム１に近付くように、第２ロッド部３を上昇又は下降するように押すことができる。第１ロッド部２と第２ロッド部３の間に共通の第３コネクタが存在するため、第１ロッド部２は、第２ロッド部３に付き従って同期運動することになる。このように、昇降装置の昇降過程を実現する。
【００３８】
一つの好ましい実施例として、第２ロッド部３の第２端の下方位置に突出シャフト（不図示）が設置され、前記第４コネクタは、突出シャフト上に設置される。突出シャフトは、電動プッシュロッドが第２ロッド部３を押す便宜を図るために設置される。このように、電動プッシュロッドの動力が大きくなくても第２ロッド部３を引っ張って運動させることができる。
【００３９】
第３コネクタは、大体第１ロッド部２の中部位置に設置され、即ち、第１ロッド部２と第２ロッド部３との連結点は、大体第１ロッド部２の中部位置にあり、もちろん、中部位置より僅かに高くても良く、中部位置より僅かに低くても良い。このように設置する目的は、電動プッシュロッドが第２ロッド部３を押して活動させる便宜を図るためである。
【００４０】
第１実施例の運動原理は以下の通りである。プッシュロッド４１の運動は、第２ロッド部３を押して運動させることができ、第２ロッド部３の運動は、第１ロッド部２を引っ張って運動させることができ、第１ロッド部２と第２ロッド部３の間の夾角の開閉の大きさによって支持フレーム１と地面の間の距離が決まる。第１ロッド部２と第２ロッド部３とが平行になった後、前記支持フレーム１は地面上に平らに敷かれ得、これにより支持フレーム１が完全に地面上に置かれる目的を達成できる。第１ロッド部２が地面に垂直である場合、前記支持フレーム１と地面の距離の高さは最も高い。
【００４１】
在支持フレーム１が地面から一定の高さだけ離れている場合、交叉の第１ロッド部２と第２ロッド部３の断面とは、大体変形された「卜」字形構造又は「人」字形構造を形成する。
【００４２】
一つの好ましい実施例として、前記第１電動プッシュロッド４の底部と第１ロッド部２の第２端の間に第５コネクタが設置されており、第１電動プッシュロッド４の底部は、第５コネクタに沿って可動可能である。
【００４３】
別の好ましい実施例として、第１ロッド部２の下端に固定板５が取り付けられ得、前記固定板５と第１ロッド部２の間に第６コネクタが設置され得、第１ロッド部２の下端は、第６コネクタに沿って運動可能であり、前記固定板５は、地面と直接接触して、第１ロッド部２が運動する時、第１ロッド部２が傾く便宜を図り、固定板５と地面とは常に平行に維持される。
【００４４】
昇降装置の動作中、第１ロッド部２の位置及び第１電動プッシュロッド４のプッシュロッド４１の位置は、実時間で変化する。第１ロッド部２及び第１電動プッシュロッド４の運動を妨げないために、例えば第５コネクタ、第６コネクタのようなコネクタを利用して部材の位置を随時調整して、バランスの取れた実行の目的を達成する。
【００４５】
別の好ましい実施例として、前記固定板５の底部に滑り止めストライプが設置されて、固定板５と地面の間の摩擦力を強化する。
【００４６】
一つの好ましい実施例として、前記固定板５の両側にそれぞれ１つの延長ロッド６が取り付けられ得、これにより地面と接触する面積を増加させ、介護ベッドが置かれる平穏さをさらに確保する。
【００４７】
取り付ける時、第１ロッド部２の第１端は、支持フレーム１の長さ方向の中軸線の事前設定位置に取り付けられ、第２ロッド部３の第１端は、支持フレーム１の幅方向の側壁の中間位置に取り付けられる。このように、昇降装置が上昇又は下降する時、支持フレーム１の運動はバランスが取れて安定し、支持フレーム１が歪むことがない。
【００４８】
本考案において、前記コネクタの構造は、ヒンジピン又は回転軸を含み、前記ヒンジピン又は回転軸はピン孔と嵌合される。具体的には、前記第１コネクタはヒンジピン７を含み、前記第１ロッド部２上にヒンジピン孔が設置され、前記支持フレーム１上にもヒンジピン孔が設置され、前記ヒンジピン７は、第１ロッド部２及び支持フレーム１上のヒンジピン孔内に挿入され、前記第１ロッド部２は、ヒンジピン７を中心に反転する。取り付けの便宜を図るために、支持フレーム１の底部にラグ又は取り付けブロックが設置され、ラグ又は取り付けブロック上にヒンジピン孔が設置されても良い。このように、ヒンジピン７は、取り付けブロック及び第１ロッド部のヒンジピン孔を順次貫通し、これにより第１ロッド部２を支持フレーム１の底部に取り付ける。
【００４９】
第２コネクタ、第３コネクタ、第４コネクタ、第５コネクタ、第６コネクタは、いずれもヒンジピン及びヒンジピン孔の設置を適用し得る。但し、ヒンジピン孔の位置は、支持ヒンジピンの部材の上に設置され、後述する実施例で詳細に紹介することにする。
【００５０】
一つの好ましい実施例として、第１ロッド部２及び第２ロッド部３は、押出プロファイルを使用して作られ得るが、押出プロファイルは、強度が高く、標準型プロファイルであり、本装置の規模化の便宜を図る。
【００５１】
以下、昇降装置の第２実施例を詳細に説明する。
【００５２】
前記昇降装置も第１ロッド部２と、第２ロッド部３とを含む。第１実施例と第２実施例との違いは、第１ロッド部２及び第２ロッド部３の形状にある。本実施例において、前記第１ロッド部１は、大体Ｕ型構造を呈し、平行に離隔設置された２つの第１サブロッド２１と、２つの第１サブロッドの底部を連結させる第１横向きロッド２２とを有し、前記第１横向きロッド２２は地面と接触する支持部分を形成し、第１横向きロッド２２の設置は、第１ロッド部２の強度を強化する役割を有すると同時に、地面と直接接触する面積を増大させ、介護ベッドが置かれる安定性を確保する。
【００５３】
２つの第１サブロッド２１の第１端は、第１コネクタ、即ちヒンジピン７を介して可動に支持フレーム１の底部に取り付けられ、前記２つの第１サブロッド２１はヒンジピン７に沿って回転可能であると同時に、第１電動プッシュロッド４は第１横向きロッド２２の中間位置に取り付けられ、即ち、第１サブロッド２のＵ型溝内に位置して、第１電動プッシュロッド４の始動バランスを維持する。
【００５４】
前記支持フレーム１の底部にヒンジピン孔が設置され、前記ヒンジピン７は、第１サブロッド２１を貫通し、ヒンジピン７の一端又は両端は、支持フレーム１の底部のヒンジピン孔内に収容される。
【００５５】
更なるオプションとして、第１サブロッド２１の外側に連結ブロック１４が設置され、連結ブロック１４上にボルトが設置され、第１サブロッド２１はボルト及び連結ブロック１４を介して支持フレームの底部に取り付けられ、ヒンジピン７は、第１サブロッド２１及び連結ブロック内に挿入され、これにより第１ロッド部２は可動に支持フレーム１の底部に固定される。
【００５６】
第２ロッド部３は、大体Ｕ型構造を呈し、平行に離隔設置された２つの第２サブロッド３１と、２つの第２サブロッド３１の頂部を連結させる第２横向きロッド３２とを有し、第２横向きロッド３２の両側は、第３コネクタを介して２つの第１サブロッド２１の間に取り付けられ、前記第２横向きロッド３２は、第３コネクタに沿って可動可能であり、
前記第３コネクタはヒンジピン７であり、ヒンジピン７は、第１サブロッド２１及び第２横向きロッド３２内に同時に挿入され、
２つの第２サブロッド３１の第１端は、第２コネクタを介して可動に支持フレーム１の底部に取り付けられ、前記第２コネクタはヒンジピン７であり、支持フレーム１の底部にヒンジピン孔が設置され、第２サブロッド３１上にもヒンジピン孔が設置され、ヒンジピン７は、支持フレーム１の底部及び第２サブロッド３１上のヒンジピン孔をそれぞれ貫通し、２つの第２サブロッド３１は、ヒンジピン７に沿って回転可能である。
【００５７】
更なるオプションとして、前記第２サブロッド３１の一端にも連結ブロック１４が設置され、連結ブロック１４上にボルトが設置され、第２サブロッド３１は、ボルト及び連結ブロック１４を介して支持フレーム１の底部に取り付けられ、ヒンジピン７は、第２サブロッド３１及び連結ブロック１４内に插入され、これにより第２サブロッド３１は可動に支持フレーム１の底部に固定される。
【００５８】
第１電動プッシュロッド４のプッシュロッドは、第４コネクタを介して第２横向きロッド３２に連結され、第２横向きロッド３２は、第１電動プッシュロッド４の運動を伝達する部材の一つを形成する。
【００５９】
前記第４コネクタは、ヒンジピン７でもあり得、第２横向きロッド３２の中間位置には、ラグ１５が設置され、前記ラグ１５上にヒンジピン孔が設置され、前記ヒンジピン７は、ラグ１５及びプッシュロッド４１をそれぞれ貫通し、これによりプッシュロッド４１と第２横向きロッド３２とが互いに連結される。
【００６０】
第２ロッド部３全体は、第１ロッド部２のＵ型溝内に収容され、即ち、第１サブロッド２１と第２サブロッド３１とは平行であり得る。このように、支持フレーム１全体が地面上に置かれ得、支持フレーム１の地面からの高さが基本的にゼロである目的を達成する。
【００６１】
Ｕ型構造の設置は、支持フレーム１の底部に２つの支持脚を設置するのに相当する。従って、昇降運動中であれ使用中であれ、介護ベッドはより安定し、特に昇降中に支持フレーム１のバランスがより良い。
【００６２】
一実施例として、前記第２横向きロッド３２の中間にスライドレール３３が設置されており、前記プッシュロッド４１は、スライドレール３３内に収容され、前記スライドレール３３は、プッシュロッド４１が往復伸縮するレール及びブラケットを形成し、プッシュロッド４１の平穏な運動に保証を提供する。
【００６３】
取り付ける時、第１サブロッド２１の第１端は、ヒンジピン７を介して支持フレーム１の底部の両側にそれぞれ設置され、２つのサブロッド２１は、支持フレーム１の左右の２つの支持脚に相当する。第２サブロッド３１は、ヒンジピン７を介して支持フレーム１の底部の両側に取り付けられ、第１横向きロッド２２は、ヒンジピン７を介して２つの第１サブロッド２１の間に取り付けられる。
【００６４】
前記第３コネクタは、第１ロッド部２と第２ロッド部３とが連結される鍵となる部位であり、第２ロッド部３は、第１電動プッシュロッド４の駆動下で徐々に支持フレーム１と平行になる。この時、第１ロッド部２も第２ロッド部３の引っ張りの下で徐々に支持フレーム１と平行になる。この時、昇降装置は、完全に支持フレーム１と平行であり、支持フレーム１又は昇降装置全体が地面上に置かれ得る。重傷を負ったり、持ち上げるのに不便な患者がいる場合、患者をわずかに吊り上げさえすれば、患者を支持フレーム１に持ち上げることができる。この時、支持フレーム１を動かして患者を転送し得る。
【００６５】
このような設計により、体力の弱い女性介護士でも患者を支持フレーム１上に手軽く置くことができ、医療スタッフに極めて大きな利便性をもたらす。
【００６６】
一つの好ましい実施例として、前記第１サブロッド２１の下部（即ち、第１サブロッド２１の第２端）に依然として固定板５が設置されると同時に、前記固定板５は、第１横向きロッド２２上に固定される。前記第１サブロッド２１と固定板５の間には、例えばヒンジピン７又は回転軸のような第６コネクタが取り付けられる。第１ロッド部２が徐々に運動する時、前記第１ロッド部２はヒンジピン７に沿って回転し、固定板５は常に地面との平行を維持する。
【００６７】
一つの好ましい実施例として、前記第１横向きロッド２２の両端は、それぞれ外側に延在して延長ロッド６を形成し、第１横向きロッド２２の地面と接触する面積をさらに増大させる。
【００６８】
一つの好ましい実施例として、前記第１電動プッシュロッド４の底部と第１サブロッド２１の第２端の間に第５コネクタが設置されており、前記第５コネクタはヒンジピン７である。前記第１横向きロッド２２上にラグ１５が設置され、第１電動プッシュロッド４の底部にカムが設置され、前記ラグ１５及びカム上にヒンジピン孔が設置され、前記ヒンジピン７はヒンジピン孔を貫通し、第１電動プッシュロッド４の底部はヒンジピン７に沿って可動可能である。これにより、第１電動プッシュロッド４は、地面に完全に平行であり得、このようにしてこそ昇降装置が地面に平行であるという目的を達成することができる。
【００６９】
一つの好ましい実施例として、前記２つの第１サブロッド２１の間に補強リブ２４が設置され、補強リブ２４は、２つの第１サブロッド２１をさらに連結させ、強度を強化すると同時に、第１ロッド部２の安定性も確保する。
【００７０】
第１実施例であれ第２実施例であれ、いずれも前記支持フレーム１上にベッドボード８が設置されるべきである。前記ベッドボード８は、適応的に支持フレーム１上に敷設されて、ユーザが平穏にベッドに横たわって休憩する便宜を図る。前記ベッドボード８は、少なくとも２つのサブボード含み、該２つのサブボードは、それぞれ第１サブボード８１及び第２サブボード８２である。前記サブボード同士は、ヒンジ９又は回転ジョイント１０を介して連結され、このように、２つのサブボード同士は互いに折り畳まれ得る。ベッドボード８全体をいくつかのサブボードに分割する目的の一つ目は運送の便宜を図ることであり、二つ目は標準化生産の目的を達成することである。従来のベッドボードは、体積が比較的大きくて、生産及び運送の両方とも極めて不便である。ベッドボード８をいくつかのサブボードに分割した後、製造に利便性をもたらすのに加えて、規模化の生産を実現でき、特に貯蔵や運送に極めて大きい利便性をもたらす。
【００７１】
また、ベッドボード８同士は、標準部材を適用して連結され、モジュール化の生産が非常に容易に実現され得、生産効率を向上させると同時に、職人が介護ベッドを形になっている状態に取り付けることも非常に簡単である。使用しない時は、ベッドボードを取り外し、折り畳んで収納し得、占められる収納面積が小さく、ユーザに利便性をもたらす。
【００７２】
更なるオプションとして、前記支持フレーム１上に１つ又は複数の支柱が設置され得、支柱の目的として、支持フレーム１の強度を強化するのに加えて、支持ベッドボード８の強度をさらに増強できる。
【００７３】
本考案では、３つのサブボードにより一枚丸ごとのベッドボードを形成する場合を別の実施例として説明する。ベッドボードの分割されるピースの数は、ベッドボードの大きさに応じて、生産及び運送の便宜を図ることを原則とする。３つのサブボードは、それぞれ第１サブボード８１、第２サブボード８２、第３サブボード８３である。第１サブボード８１と第２サブボード８２と第３サブボード８３との間は、ヒンジ９を介して連結され、第２サブボード８２は、第１サブボード８１と第３サブボード８３の間に位置する。
【００７４】
一つの好ましい実施例として、第１サブボード８１に対応する支持フレーム１の底部に独立した第２電動プッシュロッド１１が取り付けられ、前記第２電動プッシュロッド１１のプッシュロッド４１は、第１サブボード８１の底部に取り付けられ、プッシュロッドは、第１サブボード８１をヒンジ９又は回転ジョイント１０に沿って回転するように押すことができる。これにより、第１サブボード８１は徐々に地面と一定の夾角を形成する。前記プッシュロッドの自由端は、大体第１サブボード８１の中部位置に設置される。ユーザが座りたい場合、第２電動プッシュロッド１１を制御することで第１サブボード８１を適切な角度まで押し得る。
【００７５】
第２電動プッシュロッド１１の底部が支持フレーム１上に固定されるか支柱上に固定されるかは、柔軟に選択され得る。
【００７６】
もちろん、前記第２電動プッシュロッド１１の両端とその連結箇所にも、例えばヒンジピンのようなコネクタが設置され、第２電動プッシュロッド１１はコネクタに沿って可動可能であり、これにより第２電動プッシュロッド１１を妨げないという目的を達成する。その連結構造は、第１電動プッシュロッド４の連結を参考にし得る。
【００７７】
別の好ましい実施例として、前記第１サブボード８１と第２サブボード８２の間は、ヒンジ９の代わりに回転ジョイント１０を使用し、第２サブボード８２と第３サブボード８３とはヒンジ９を使用して連結される。回転ジョイント１０は、ヒンジ９に比べ、回転性能がより良く、回転ジョイント１０の耐荷重能力がより強い。第１サブボード８１が常に昇降されると、回転ジョイント１０の使用寿命がより長くなる。
【００７８】
第１サブボード８１の角度位置を調整することで、ユーザの背中が快適に第１サブボード８１に寄りかかることができ、ユーザが座って休憩、食事、読書をする便宜を図る。
【００７９】
一つの好ましい実施例として、前記ベッドボードは、コンパクトグレードラミネートで作られ得る。
【００８０】
前記第１サブボード８１は、押出プロファイルとコンパクトグレードラミネートボードで構成され得るが、このような材料は、快適性が高く、ユーザの背中が第１サブボード８１に寄りかかる体験効果が良い。
【００８１】
構造全体の重量を減らすために、前記ベッドボード８上に中空孔１２が離隔して掘られる。中空の設計は、介護ベッド全体の重量を低減できるだけでなく、ベッドボードの耐荷重及び平面度に影響を与えない。
【００８２】
好ましい実施例として、前記支持フレーム１の長さ方向の一端又は両端にベッドヘッドバッフル１３が設置されており、及び／又は、前記支持フレームの幅方向の一端又は両端にベッドサラウンドが設置されている。前記ベッドヘッドバッフル１３は、介護ベッド上の物及びユーザがベッドから落ちるのを防ぐことができる。ベッドボード８は、マグネシウム合金材料で製作されても良く、プラスチック等の材質で製作されても良い。
【００８３】
ベッドヘッドバッフル１３と支持フレーム１とは、例えばボルト等の固定部材を介して連結され得る。このように、ベッドヘッドバッフル１３を取り外す便宜を図る目的を達成できる。
【００８４】
もちろん、本考案において、前記第１電動プッシュロッド４、第２電動プッシュロッド１１は、コントローラを使用して作動される。コントローラは、支持フレーム１又はベッドヘッドバッフル１３上のユーザが使用するのに都合の良い任意の位置に設置され得る。また、ユーザがコントローラを手に持って位置を調整できるように、コントローラをリモコンの形状に設置しても良い。コントローラは、第１電動プッシュロッド４及び第２電動プッシュロッド１１を同時に制御しても良く、各々の電動プッシュロッドの作動をそれぞれ個別に制御しても良いが、1つ又は複数の電動プッシュロッドを同時に制御する技術及び個別に制御する技術は、従来の制御技術に存在するので、ここではいかに電動プッシュロッド及びコントローラを制御するかについて具体的な説明を省略する。
【００８５】
コントローラが各々の電動プッシュロッドを個別に制御できる場合、両側の第１電動プッシュロッド４によって調整される支持フレーム１の地面からの高さは異なり得、一側が高く、他側が低い状態を実現し、即ち、支持フレーム１と地面の間に勾配が形成されて、一部の患者の特別なニーズの便宜を図る。
【００８６】
一つの好ましい実施例として、前記第１ロッド部２の底端はローラーに連結され、ローラーの設置は、本装置を押す便宜を図る。さらに好ましくは、前記ローラーは、折り畳み可能であり、即ち、ローラーは、使用しない時に収納され得る。ローラーの折り畳み及び収納の技術は、既存の方案を使用し得る。或いは、ローラー上に停止構造が設置されて、介護ベッドを動かす必要がない場合には、ローラーの位置をロックし得る。
【００８７】
本考案は、ユーザの使用の便宜を図り、行動が不便である患者を動かす時には非常に小さな力をかけても良い。また、本装置は、完全に平らに置かれることができ、収納するのに便利であり、スペースを節約する。
【００８８】
上記は、本考案の実施例の比較的好ましい実施例に過ぎず、本考案の実施例を制限するために用いられるものではない。本考案の実施例の精神及び原則内でなされたいかなる修正、同等の置換、改善等は、全て本考案の実施例の保護範囲内に含まれるべきである。
【符号の説明】
【００８９】
１  支持フレーム
２  第１ロッド部
２１  第１サブロッド
２２  第１横向きロッド
２４  補強リブ
３  第２ロッド部
３１  第２サブロッド
３２  第２横向きロッド
３３  スライドレール
４  第１電動プッシュロッド
４１  プッシュロッド
５  固定板
６  延長ロッド
７  ヒンジピン
８  ベッドボード
８１  第１サブボード
８２  第２サブボード
８３  第３サブボード
９  ヒンジ
１０  回転ジョイント
１１  第２電動プッシュロッド
１２  中空孔
１３  ベッドヘッドバッフル
１４  連結ブロック
１５  ラグ
【図１】
0003232917.tif 000003
【図２】
0003232917.tif 000004
【図３】
0003232917.tif 000005
【図４】
0003232917.tif 000006
【図５】
0003232917.tif 000007
【図６】
0003232917.tif 000008
【図７】
0003232917.tif 000009
【図８】
0003232917.tif 000010
【図９】
0003232917.tif 000011
【図１０】
0003232917.tif 000012
【図１１】
0003232917.tif 000013
【図１２】
0003232917.tif 000014
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
介護ベッド用昇降装置であって、
第１ロッド部と、第２ロッド部と、駆動装置とを含み、前記第１ロッド部の第１端及び第２ロッド部の第１端にいずれもコネクタが設置され、前記第２ロッド部の第２端は、第１ロッド部に可動連結され、前記第１ロッド部の第２端に駆動装置が取り付けられることを特徴とする介護ベッド用昇降装置。
【請求項２】
前記第１ロッド部は、Ｕ型構造を呈し、平行に離隔設置された２つの第１サブロッドと、２つの第１サブロッドの底部を連結させる第１横向きロッドとを有し、前記第１横向きロッドは、同時に支持部分を形成可能であり、駆動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、前記第２横向きロッドの両端は、可動に２つの第１サブロッドの間に取り付けられ、駆動装置の駆動端は、可動に第２横向きロッドに連結されることを特徴とする請求項１に記載の介護ベッド用昇降装置。
【請求項３】
前記駆動装置は直線運動装置であり、
前記直線運動装置は、電動プッシュロッド、電動シリンダー、リニアモーターのうちのいずれか一つであることを特徴とする請求項１に記載の介護ベッド用昇降装置。
【請求項４】
支持フレームを含む介護ベッドであって、
前記支持フレームの両端にそれぞれ昇降装置が取り付けられ、
前記昇降装置は、第１ロッド部と、第２ロッド部と、第１直線運動装置とを含み、
前記第１ロッド部の第１端は、第１コネクタを介して可動に支持フレーム上に取り付けられ、第１ロッド部に第１直線運動装置が取り付けられ、
前記第２ロッド部の第１端は、第２コネクタを介して可動に支持フレーム上に取り付けられ、第２ロッド部の第２端は、第３コネクタを介して第１ロッド部に可動連結されることを特徴とする介護ベッド。
【請求項５】
前記第１ロッド部は、Ｕ型構造を呈し、平行に離隔設置された２つの第１サブロッドと、２つの第１サブロッドの底部を連結させる第１横向きロッドとを有し、前記第１横向きロッドは支持部分を形成し、２つの第１サブロッドの第１端は、それぞれ第１コネクタを介して可動に支持フレームの底部に取り付けられ、前記２つの第１サブロッドは、第１コネクタに沿って回転可能であると同時に、第１直線運動装置は、第１横向きロッドの中部位置に取り付けられ、
前記第２ロッド部は、Ｕ型構造を呈し、平行に離隔設置された２つの第２サブロッドと、２つの第２サブロッドの頂部を連結させる第２横向きロッドとを有し、２つの第２サブロッドの第１端は、それぞれ第２コネクタを介して可動に支持フレームの底部に取り付けられ、前記２つの第２サブロッドは、第２コネクタに沿って回転可能であり、前記第２横向きロッドの両端は、第３コネクタを介して可動に２つの第１サブロッドの間に取り付けられ、第１直線運動装置の駆動端は、第４コネクタを介して第２横向きロッドに連結されることを特徴とする請求項４に記載の介護ベッド。
【請求項６】
前記第２横向きロッド上にスライドレールが設置されており、前記第１直線運動装置の駆動端は、スライドレール内に収容され、前記スライドレールは、駆動端が往復伸縮するレールを形成することを特徴とする請求項５に記載の介護ベッド。
【請求項７】
前記支持フレーム上にベッドボードが敷設され、前記ベッドボード上に複数の離隔設置された中空孔が設けられることを特徴とする請求項４に記載の介護ベッド。
【請求項８】
前記ベッドボードは第１サブボードを含む少なくとも２つのサブボードを含み、前記サブボードの間にヒンジ又は回転ジョイントが連結されており、前記サブボード同士は、ヒンジ又は回転ジョイントを介して回動可能であり、
第１サブボードに対応する支持フレームの底部に第２直線運動装置が取り付けられ、前記第２直線運動装置の駆動端は、第１サブボードの底部に連結され、前記第２直線運動装置の駆動端は、第１サブボードと水平面の間に少なくとも０〜９０度の夾角が形成されるように、第１サブボードをヒンジ又は回転ジョイントに沿って回動するように押すことが可能であることを特徴とする請求項７に記載の介護ベッド。
【請求項９】
２つの前記第１サブロッドの間に補強リブが設置され、
前記支持フレームの長さ方向の一端又は両端にベッドヘッドバッフルが設置されており、
及び／又は、
前記支持フレームの幅方向の一端又は両端にベッドサラウンドが設置されていることを特徴とする請求項５に記載の介護ベッド。
【請求項１０】
第１横向きロッド上に第５コネクタが設置されており、第１直線運動装置の底部と第１横向きロッドとは第５コネクタを介して連結され、前記第１直線運動装置の底部は、第１ロッド部に付き従って可動可能であり、
前記第１横向きロッド上に固定板が取り付けられており、前記固定板と第１サブロッドの底部の間に第６コネクタが連結されており、前記第１サブロッドの底部は第６コネクタを介して固定板に可動連結され、及び／又は、
前記第１横向きロッドの底端にローラーが連結されていることを特徴とする請求項５に記載の介護ベッド。